(57)【要約】【課題】個人の生前のメッセージを含む多数の動画像データの保存・配信を商業サービスとして実現することができる情報提供システム等を提供すること。【解決手段】登録者端末１００は生前のメッセージを含む動画像データを動画像データ送信システム２００に保存し、割り当てられた限定公開ＵＲＬを含む埋め込みコードおよび生存終了後に動画像データの配信を希望する電子メールアドレスをサービス提供サーバ３００に送信する。サービス提供サーバ３００は生存終了情報をトリガに限定公開ＵＲＬを含む埋め込みコードと紐付く閲覧画面のＵＲＬを電子メールアドレス宛てに送信する。閲覧者端末４００は閲覧画面のＵＲＬに基づきサービス提供サーバ３００にアクセスし、サービス提供サーバ３００は限定公開ＵＲＬを含む埋め込みコードに基づき動画像データ送信システム２００にアクセスする。閲覧者端末４００は動画像データ送信システム２００からサービス提供サーバ３００を介して配信された動画像データを表示する。【選択図】図３
2013242813.tif 000002
【特許請求の範囲】
【請求項１】
動画像データ送信システムと、登録者端末と、サービス提供サーバと、閲覧者端末とを備える情報提供システムであって、
多数の動画像データを保存可能な大容量回線の前記動画像データ送信システムは、保存した動画像データを識別する情報を少なくとも含む限定公開識別情報を生成する限定公開識別情報生成部と、
前記限定公開識別情報を前記登録者端末に送信する限定公開識別情報送信部と、
前記サービス提供サーバからの前記保存した動画像データのうち前記限定公開識別情報により特定される所定の個人の生前のメッセージを含む動画像データの送信要求に応じて該所定の動画像データを前記サービス提供サーバに送信する第１の動画像データ送信部とを備え、
前記登録者端末は、前記動画像データを前記動画提供システムに送信して保存させる第２の動画像データ送信部と、
前記動画提供システムから前記保存された動画像データの前記限定公開識別情報を受信する限定公開識別情報受信部と、
前記限定公開識別情報と前記サービス提供サーバにより提供される画面コンテンツへのアクセス情報の送り先の送り先情報とを前記サービス提供サーバに送信する情報送信部とを備え、
前記サービス提供サーバは、前記限定公開識別情報と前記送り先情報とを前記登録者端末から受信する情報受信部と、
前記限定公開識別情報および前記送り先情報と紐付けられる前記アクセス情報を生成するアクセス情報生成部と、
前記個人の生存終了情報をトリガとして前記アクセス情報を前記送り先情報の送り先に送信するアクセス情報送信部と、
前記閲覧者端末からの送信要求を受けて、前記所定の動画像データの送信要求を前記アクセス情報に紐付けられる前記限定公開識別情報に基づいて前記動画提供システムに送信する第１の送信要求部と、
前記動画提供システムから送信された前記所定の動画像データを前記閲覧者端末に送信する第３の動画像データ送信部とを備え、
前記閲覧者端末は、前記アクセス情報を前記送り先情報の送り先から受信するアクセス情報受信部と、
前記アクセス情報に紐付けられる前記限定公開識別情報により特定される所定の動画像データの送信要求を前記アクセス情報に基づいて前記サービス提供サーバに送信する第２の送信要求部と、
前記サービス提供サーバから送信された前記所定の動画像データを出力する動画像データ出力部とを備える
ことを特徴とする情報提供システム。
【請求項２】
動画像データ送信システムと、登録者端末と、サービス提供サーバと、閲覧者端末とを備える情報提供システムであって、
多数の動画像データを保存可能な大容量回線の前記動画像データ送信システムは、保存した動画像データを識別する情報を少なくとも含む限定公開識別情報を生成する限定公開識別情報生成部と、
前記限定公開識別情報を前記サービス提供サーバに送信する第１の限定公開識別情報送信部と、
前記サービス提供サーバからの前記保存した動画像データのうち前記限定公開識別情報により特定される所定の個人の生前のメッセージを含む動画像データの送信要求に応じて該所定の動画像データを前記サービス提供サーバに送信する第１の動画像データ送信部とを備え、
前記登録者端末は、前記動画像データと前記限定公開識別情報の送り先の送り先情報とを前記サービス提供サーバに送信する情報送信部と、
前記サービス提供サーバから前記保存された動画像データの前記限定公開識別情報を受信する限定公開識別情報受信部とを備え、
前記サービス提供サーバは、前記動画像データと前記送り先情報とを前記登録者端末から受信する情報受信部と、
前記動画像データを前記動画提供システムに送信して保存させる動画像データ送信部と、
前記限定公開識別情報を前記登録者端末に送信する第２の限定公開識別情報送信部と、
前記限定公開識別情報および前記送り先情報と紐付けられる特定の画面コンテンツへのアクセス情報を生成するアクセス情報生成部と、
前記個人の生存終了情報をトリガとして前記アクセス情報を前記送り先情報の送り先に送信するアクセス情報送信部と、
前記閲覧者端末からの送信要求を受けて、前記所定の動画像データの送信要求を前記アクセス情報に紐付けられる前記限定公開識別情報に基づいて前記動画提供システムに送信する第１の送信要求部と、
前記動画提供システムから送信された前記所定の動画像データを前記閲覧者端末に送信する第２の動画像データ送信部とを備え、
前記閲覧者端末は、前記アクセス情報を前記送り先情報の送り先から受信するアクセス情報受信部と、
前記アクセス情報に紐付けられる前記限定公開識別情報により特定される所定の動画像データの送信要求を前記アクセス情報に基づいて前記サービス提供サーバに送信する第２の送信要求部と、
前記サービス提供サーバから送信された前記所定の動画像データを出力する動画像データ出力部とを備える
ことを特徴とする情報提供システム。
【請求項３】
動画像データ送信システムと、登録者端末と、サービス提供サーバと、閲覧者端末とを備える情報提供システムであって、
多数の動画像データを保存可能な大容量回線の前記動画像データ送信システムは、保存した動画像データを識別する情報を少なくとも含む限定公開識別情報を生成する限定公開識別情報生成部と、
前記限定公開識別情報を前記登録者端末に送信する第１の限定公開識別情報送信部と、
前記閲覧者端末からの前記保存した動画像データのうち前記限定公開識別情報により特定される所定の個人の生前のメッセージを含む動画像データの送信要求に応じて該所定の動画像データを送信する動画像データ送信部とを備え、
前記登録者端末は、前記動画像データを前記動画提供システムに送信して保存させる動画像データ送信部と、
前記動画提供システムから前記保存された動画像データの前記限定公開識別情報を受信する第１の限定公開識別情報受信部と、
前記限定公開識別情報と前記限定公開識別情報の送り先の送り先情報とを前記サービス提供サーバに送信する情報送信部とを備え、
前記サービス提供サーバは、前記限定公開識別情報と前記送り先情報とを前記登録者端末から受信する情報受信部と、
前記限定公開識別情報と前記送り先情報とを保存して管理する管理部と、
前記個人の生存終了情報をトリガとして前記限定公開識別情報を前記送り先情報の送り先に送信する第２の限定公開識別情報送信部とを備え、
前記閲覧者端末は、前記限定公開識別情報を前記送り先情報の送り先から受信する第２の限定公開識別情報受信部と、
前記限定公開識別情報により特定される所定の動画像データの送信要求を前記限定公開識別情報に基づいて前記動画提供システムに送信する送信要求部と、
前記動画提供システムから送信された前記所定の動画像データを出力する動画像データ出力部とを備える
ことを特徴とする情報提供システム。
【請求項４】
動画像データ送信システムと、登録者端末と、閲覧者端末とを備える情報提供システムであって、
多数の動画像データを保存可能な大容量回線の前記動画像データ送信システムは、個人の生前のメッセージを含む動画像データと保存した前記動画像データを識別する情報を少なくとも含む限定公開識別情報の送り先の送り先情報とを前記登録者端末から受信する情報受信部と、
保存した前記動画像データを識別する情報を少なくとも含む前記限定公開識別情報を生成する限定公開識別情報生成部と、
前記限定公開識別情報と前記送り先情報とを紐付けて保存して管理する管理部と、
前記限定公開識別情報を前記登録者端末に送信する第１の限定公開識別情報送信部と、
前記個人の生存終了情報をトリガとして前記限定公開識別情報を前記送り先情報の送り先に送信する第２の限定公開識別情報送信部と、
前記閲覧者端末からの前記保存した動画像データのうち前記限定公開識別情報により特定される所定の動画像データの送信要求に応じて該所定の動画像データを送信する動画像データ送信部とを備え、
前記登録者端末は、前記動画像データと前記送り先情報とを前記動画提供システムに送信する情報送信部と、
前記動画提供システムから前記保存された動画像データの前記限定公開識別情報を受信する第１の限定公開識別情報受信部とを備え、
前記閲覧者端末は、前記限定公開識別情報を前記前記送り先情報の送り先から受信する第２の限定公開識別情報受信部と、
前記限定公開識別情報により特定される所定の動画像データの送信要求を前記限定公開識別情報に基づいて前記動画提供システムに送信する送信要求部と、
前記動画提供システムから送信された前記所定の動画像データを出力する動画像データ出力部とを備える
ことを特徴とする情報提供システム。
【請求項５】
動画像データ送信システムと、登録者端末と、サービス提供サーバと、閲覧者端末とを利用した情報提供方法であって、
前記登録者端末が、個人の生前のメッセージを含む動画像データを前記動画提供システムに送り、
多数の動画像データを保存可能な大容量回線の前記動画像データ送信システムが、受け取って保存した前記動画像データを識別する情報を少なくとも含む限定公開識別情報を生成して前記登録者端末に送り、
前記登録者端末が、受け取った前記限定公開識別情報と前記限定公開識別情報の送り先の送り先情報とを前記サービス提供サーバに送り、
前記サービス提供サーバが、前記限定公開識別情報および前記送り先情報と紐付けられる特定の画面コンテンツへのアクセス情報を生成し、
前記サービス提供サーバが、前記個人の生存終了情報をトリガとして生成した前記アクセス情報を受け取った前記送り先情報の送り先に送り、
前記閲覧者端末が、前記送り先情報の送り先から受け取った前記アクセス情報に紐付けられる前記限定公開識別情報により特定される所定の動画像データの要求を前記アクセス情報に基づいて前記サービス提供サーバに送り、
前記サービス提供サーバが、前記閲覧者端末からの要求を受けて、前記所定の動画像データの送信要求を前記アクセス情報に紐付けられる前記限定公開識別情報に基づいて前記動画提供システムに送り、
前記動画像データ送信システムが、受け取った前記要求に応じて前記所定の動画像データを前記サービス提供サーバに送り、
前記サービス提供サーバが、送られた前記所定の動画像データを前記閲覧者端末に送り、
前記閲覧者端末が、送られた前記所定の動画像データを出力する
ことを特徴とする情報提供方法。
【請求項６】
動画像データ送信システムと、登録者端末と、サービス提供サーバと、閲覧者端末とを備える情報提供システムにおけるサービス提供サーバであって、
前記登録者端末が、個人の生前のメッセージを含む動画像データを前記動画提供システムに送り、
多数の動画像データを保存可能な大容量回線の前記動画像データ送信システムが、受け取って保存した前記動画像データを識別する情報を少なくとも含む限定公開識別情報を生成して前記登録者端末に送り、
前記登録者端末が、受け取った前記限定公開識別情報と前記限定公開識別情報の送り先の送り先情報とを自サービス提供サーバに送り、
前記サービス提供サーバは、前記限定公開識別情報と前記送り先情報とを前記登録者端末から受信する情報受信部と、
前記限定公開識別情報および前記送り先情報と紐付けられる特定の画面コンテンツへのアクセス情報を生成するアクセス情報生成部と、
前記個人の生存終了情報をトリガとして前記アクセス情報を前記送り先情報の送り先に送信するアクセス情報送信部と、
前記閲覧者端末からの前記アクセス情報に基づく、前記アクセス情報に紐付けられる前記限定公開識別情報により特定される所定の動画像データの送信要求を受けて、前記所定の動画像データの送信要求を前記アクセス情報に紐付けられる前記限定公開識別情報に基づいて前記動画提供システムに送信する送信要求部と、
前記送信要求に応じて前記動画提供システムから送信された前記所定の動画像データを前記閲覧者端末に送信する動画像データ送信部とを備え、
前記閲覧者端末に、送信された前記所定の動画像データを出力させる
ことを特徴とするサービス提供サーバ。
【発明の詳細な説明】
【技術分野】
【０００１】
本発明は、個人の生前のメッセージを含む動画像データ等を提供する技術に関する。
【背景技術】
【０００２】
関連技術として、遺言者の遺言内容を高いセキュリティ状態で保持するとともに、遺族に対して遺言内容を確実に伝える技術が開示されている。
この技術は、遺言者を特定するための情報と遺言者の遺言または遺言に関連する情報とを対応付けて格納手段に保持する。遺言者の生存終了を確認するための書類の記載内容を認識して生存終了の遺言者を特定するための情報を取得する取得手段を備える。取得手段で取得した遺言者を特定するための情報と、格納手段に格納されている遺言者を特定するための情報とを照合して、生存終了の遺言者を確認手段により確認する。確認された遺言者の遺言または遺言に関連する情報の開示を許可するための情報を遺族に通知するための手段を設ける（特許文献１参照）。
【先行技術文献】
【特許文献】
【０００３】
特開２０１２−７８８８３号公報
【発明の概要】
【発明が解決しようとする課題】
【０００４】
しかしながら、上記の関連技術は、遺言または遺言に関連する情報を保持するものである。この遺言または遺言に関連する情報は文字に関するものでありデータ量が比較的小さい。
一方、個人の生前のメッセージを含む動画像データは文字データと比較して飛躍的にデータ量が大きくなり、通常のサーバ等ではハードウェア資源の容量や回線の制約が発生する。すなわち、不特定多数の利用者を対象にした商業サービスとして、多数の動画像データを記録・保存しておき、所定のユーザ端末からの要求に応じて該ユーザ端末に対して所望の動画像データを配信するためには、従来の廉価なハードウェアを実装したサーバを中心に据えたシステム構成では十分に対応することが困難であった。
もちろん、高価なハードウェアを実装したサーバによれば理論的には上述の動画像データの配信サービスは実現可能であるが、例えば１００億円規模の初期投資を行い相応の利益を確保しながら商業サービスとして成立させることは通常の資力の事業者には困難であった。
【０００５】
本発明の目的は、個人の生前のメッセージを含む多数の動画像データの保存・配信を商業サービスとして実現することができる情報提供システム、情報提供方法およびサービス提供サーバを提供することにある。
【課題を解決するための手段】
【０００６】
本発明の第１の情報提供システムは、動画像データ送信システムと、登録者端末と、サービス提供サーバと、閲覧者端末とを備える情報提供システムであって、多数の動画像データを保存可能な大容量回線の動画像データ送信システムは、保存した動画像データを識別する情報を少なくとも含む限定公開識別情報を生成する限定公開識別情報生成部と、限定公開識別情報を登録者端末に送信する限定公開識別情報送信部と、サービス提供サーバからの保存した動画像データのうち限定公開識別情報により特定される所定の個人の生前のメッセージを含む動画像データの送信要求に応じて該所定の動画像データをサービス提供サーバに送信する第１の動画像データ送信部とを備え、登録者端末は、動画像データを動画提供システムに送信して保存させる動画像データ送信部と、動画提供システムから保存された動画像データの限定公開識別情報を受信する限定公開識別情報受信部と、限定公開識別情報と限定公開識別情報の送り先の送り先情報とをサービス提供サーバに送信する情報送信部とを備え、サービス提供サーバは、限定公開識別情報と送り先情報とを登録者端末から受信する情報受信部と、限定公開識別情報および送り先情報と紐付けられる特定の画面コンテンツへのアクセス情報を生成するアクセス情報生成部と、個人の生存終了情報をトリガとしてアクセス情報を送り先情報の送り先に送信するアクセス情報送信部と、閲覧者端末からの送信要求を受けて、所定の動画像データの送信要求をアクセス情報に紐付けられる限定公開識別情報に基づいて動画提供システムに送信する第１の送信要求部と、動画提供システムから送信された所定の動画像データを閲覧者端末に送信する第２の動画像データ送信部とを備え、閲覧者端末は、アクセス情報を送り先情報の送り先から受信するアクセス情報受信部と、アクセス情報に紐付けられる限定公開識別情報により特定される所定の動画像データの送信要求をアクセス情報に基づいてサービス提供サーバに送信する第２の送信要求部と、サービス提供サーバから送信された所定の動画像データを出力する動画像データ出力部とを備えることを特徴とする。
【０００７】
本発明の第２の情報提供システムは、動画像データ送信システムと、登録者端末と、サービス提供サーバと、閲覧者端末とを備える情報提供システムであって、多数の動画像データを保存可能な大容量回線の動画像データ送信システムは、保存した動画像データを識別する情報を少なくとも含む限定公開識別情報を生成する限定公開識別情報生成部と、限定公開識別情報をサービス提供サーバに送信する第１の限定公開識別情報送信部と、サービス提供サーバからの保存した動画像データのうち限定公開識別情報により特定される所定の個人の生前のメッセージを含む動画像データの送信要求に応じて該所定の動画像データをサービス提供サーバに送信する第１の動画像データ送信部とを備え、登録者端末は、動画像データと限定公開識別情報の送り先の送り先情報とをサービス提供サーバに送信する情報送信部と、サービス提供サーバから保存された動画像データの限定公開識別情報を受信する限定公開識別情報受信部とを備え、サービス提供サーバは、動画像データと送り先情報とを登録者端末から受信する情報受信部と、動画像データを動画提供システムに送信して保存させる動画像データ送信部と、限定公開識別情報を登録者端末に送信する第２の限定公開識別情報送信部と、限定公開識別情報および送り先情報と紐付けられる特定の画面コンテンツへのアクセス情報を生成するアクセス情報生成部と、個人の生存終了情報をトリガとしてアクセス情報を送り先情報の送り先に送信するアクセス情報送信部と、閲覧者端末からの送信要求を受けて、所定の動画像データの送信要求をアクセス情報に紐付けられる限定公開識別情報に基づいて動画提供システムに送信する第１の送信要求部と、動画提供システムから送信された所定の動画像データを閲覧者端末に送信する第２の動画像データ送信部とを備え、閲覧者端末は、アクセス情報を送り先情報の送り先から受信するアクセス情報受信部と、アクセス情報に紐付けられる限定公開識別情報により特定される所定の動画像データの送信要求をアクセス情報に基づいてサービス提供サーバに送信する第２の送信要求部と、サービス提供サーバから送信された所定の動画像データを出力する動画像データ出力部とを備えることを特徴とする。
【０００８】
本発明の第３の情報提供システムは、動画像データ送信システムと、登録者端末と、サービス提供サーバと、閲覧者端末とを備える情報提供システムであって、多数の動画像データを保存可能な大容量回線の動画像データ送信システムは、保存した動画像データを識別する情報を少なくとも含む限定公開識別情報を生成する限定公開識別情報生成部と、限定公開識別情報を登録者端末に送信する第１の限定公開識別情報送信部と、閲覧者端末からの保存した動画像データのうち限定公開識別情報により特定される所定の個人の生前のメッセージを含む動画像データの送信要求に応じて該所定の動画像データを送信する動画像データ送信部とを備え、登録者端末は、動画像データを動画提供システムに送信して保存させる動画像データ送信部と、動画提供システムから保存された動画像データの限定公開識別情報を受信する第１の限定公開識別情報受信部と、限定公開識別情報と限定公開識別情報の送り先の送り先情報とをサービス提供サーバに送信する情報送信部とを備え、サービス提供サーバは、限定公開識別情報と送り先情報とを登録者端末から受信する情報受信部と、限定公開識別情報と送り先情報とを保存して管理する管理部と、個人の生存終了情報をトリガとして限定公開識別情報を送り先情報の送り先に送信する第２の限定公開識別情報送信部とを備え、閲覧者端末は、限定公開識別情報を送り先情報の送り先から受信する第２の限定公開識別情報受信部と、限定公開識別情報により特定される所定の動画像データの送信要求を限定公開識別情報に基づいて動画提供システムに送信する送信要求部と、動画提供システムから送信された所定の動画像データを出力する動画像データ出力部とを備えることを特徴とする。
【０００９】
本発明の第４の情報提供システムは、動画像データ送信システムと、登録者端末と、閲覧者端末とを備える情報提供システムであって、多数の動画像データを保存可能な大容量回線の動画像データ送信システムは、個人の生前のメッセージを含む動画像データと保存した動画像データを識別する情報を少なくとも含む限定公開識別情報の送り先の送り先情報とを登録者端末から受信する情報受信部と、保存した動画像データを識別する情報を少なくとも含む限定公開識別情報を生成する限定公開識別情報生成部と、限定公開識別情報と送り先情報とを紐付けて保存して管理する管理部と、限定公開識別情報を登録者端末に送信する第１の限定公開識別情報送信部と、個人の生存終了情報をトリガとして限定公開識別情報を送り先情報の送り先に送信する第２の限定公開識別情報送信部と、閲覧者端末からの保存した動画像データのうち限定公開識別情報により特定される所定の動画像データの送信要求に応じて該所定の動画像データを送信する動画像データ送信部とを備え、登録者端末は、動画像データと送り先情報とを動画提供システムに送信する情報送信部と、動画提供システムから保存された動画像データの限定公開識別情報を受信する第１の限定公開識別情報受信部とを備え、閲覧者端末は、限定公開識別情報を送り先情報の送り先から受信する第２の限定公開識別情報受信部と、限定公開識別情報により特定される所定の動画像データの送信要求を限定公開識別情報に基づいて動画提供システムに送信する送信要求部と、動画提供システムから送信された所定の動画像データを出力する動画像データ出力部とを備えることを特徴とする。
【００１０】
本発明の情報提供方法は、動画像データ送信システムと、登録者端末と、サービス提供サーバと、閲覧者端末とを利用した情報提供方法であって、登録者端末が、個人の生前のメッセージを含む動画像データを動画提供システムに送り、多数の動画像データを保存可能な大容量回線の動画像データ送信システムが、受け取って保存した動画像データを識別する情報を少なくとも含む限定公開識別情報を生成して登録者端末に送り、登録者端末が、受け取った限定公開識別情報と限定公開識別情報の送り先の送り先情報とをサービス提供サーバに送り、サービス提供サーバが、限定公開識別情報および送り先情報と紐付けられる特定の画面コンテンツへのアクセス情報を生成し、サービス提供サーバが、個人の生存終了情報をトリガとして生成したアクセス情報を受け取った送り先情報の送り先に送り、閲覧者端末が、送り先情報の送り先から受け取ったアクセス情報に紐付けられる限定公開識別情報により特定される所定の動画像データの要求をアクセス情報に基づいてサービス提供サーバに送り、サービス提供サーバが、閲覧者端末からの要求を受けて、所定の動画像データの送信要求をアクセス情報に紐付けられる限定公開識別情報に基づいて動画提供システムに送り、動画像データ送信システムが、受け取った要求に応じて所定の動画像データをサービス提供サーバに送り、サービス提供サーバが、送られた所定の動画像データを閲覧者端末に送り、閲覧者端末が、送られた所定の動画像データを出力することを特徴とする情報提供方法。
【００１１】
本発明のサービス提供サーバは、動画像データ送信システムと、登録者端末と、サービス提供サーバと、閲覧者端末とを備える情報提供システムにおけるサービス提供サーバであって、登録者端末が、個人の生前のメッセージを含む動画像データを動画提供システムに送り、多数の動画像データを保存可能な大容量回線の動画像データ送信システムが、受け取って保存した動画像データを識別する情報を少なくとも含む限定公開識別情報を生成して登録者端末に送り、登録者端末が、受け取った限定公開識別情報と限定公開識別情報の送り先の送り先情報とを自サービス提供サーバに送り、サービス提供サーバは、限定公開識別情報と送り先情報とを登録者端末から受信する情報受信部と、限定公開識別情報および送り先情報と紐付けられる特定の画面コンテンツへのアクセス情報を生成するアクセス情報生成部と、個人の生存終了情報をトリガとしてアクセス情報を送り先情報の送り先に送信するアクセス情報送信部と、閲覧者端末からのアクセス情報に基づく、アクセス情報に紐付けられる限定公開識別情報により特定される所定の動画像データの送信要求を受けて、所定の動画像データの送信要求をアクセス情報に紐付けられる限定公開識別情報に基づいて動画提供システムに送信する送信要求部と、送信要求に応じて動画提供システムから送信された所定の動画像データを閲覧者端末に送信する動画像データ送信部とを備え、閲覧者端末に、送信された所定の動画像データを出力させることを特徴とする。
【発明の効果】
【００１２】
本発明によれば、個人の生前のメッセージを含む多数の動画像データの保存・配信を商業サービスとして実現可能な情報提供システム、情報提供方法およびサービス提供サーバを提供することができる。
【図面の簡単な説明】
【００１３】
【図１】本発明の第１の実施の形態に係る情報提供システムの構成を示す図である。
【図２】本発明の第１の実施の形態に係る情報提供システムの各部の機能ブロック図である。
【図３】本発明の第１の実施の形態に係る情報提供システムの処理動作を説明する図である。
【図４】本発明の第１の実施の形態に係る情報提供システムの処理動作を示すシーケンス図である。
【図５】本発明の第１の実施の形態に係る情報提供システムの登録画面の一例を示す図である。
【図６】本発明の第１の実施の形態に係る情報提供システムの閲覧画面の一例を示す図である。
【図７】本発明の第２の実施の形態に係る情報提供システムの構成を示す図である。
【図８】本発明の第２の実施の形態に係る情報提供システムの各部の機能ブロック図である。
【図９】本発明の第２の実施の形態に係る情報提供システムの処理動作を説明する図である。
【図１０】本発明の第２の実施の形態に係る情報提供システムの処理動作を示すシーケンス図である。
【図１１】本発明の第３の実施の形態に係る情報提供システムの構成を示す図である。
【図１２】本発明の第３の実施の形態に係る情報提供システムの各部の機能ブロック図である。
【図１３】本発明の第３の実施の形態に係る情報提供システムの処理動作を説明する図である。
【図１４】本発明の第３の実施の形態に係る情報提供システムの処理動作を示すシーケンス図である。
【発明を実施するための形態】
【００１４】
以下、本発明の第１の実施の形態を図面を参照しつつ説明する。
本実施の形態における情報提供システムの構成を図１を参照して説明する。
【００１５】
図１に示すように、情報提供システム１０は、登録者端末１００と、動画像データ送信システム２００と、サービス提供サーバ３００と、閲覧者端末４００から構成されている。
【００１６】
登録者端末１００と、動画像データ送信システム２００は所定のネットワークを介して接続されている。また、登録者端末１００と、サービス提供サーバ３００は所定のネットワークを介して接続されている。
サービス提供サーバ３００と、閲覧者端末４００は所定のネットワークを介して接続されている。また、サービス提供サーバ３００と、動画像データ送信システム２００は所定のネットワークを介して接続されている。
上記の所定のネットワークは、インターネット・ＬＡＮ（Local Area Network）等であってよく、また有線・無線等は問わない。
【００１７】
登録者端末１００は、ＣＰＵ（Central Processing Unite）により制御される、ＲＯＭ（Read
Only Memory）・ＲＡＭ（Random Access Memory）等の記憶手段を備え、公知の入出力手段を備える情報処理装置である。例えば、パーソナル・コンピュータ、携帯端末等である。
【００１８】
動画像データ送信システム２００は、ＣＰＵ（Central Processing Unite）により制御される、ＲＯＭ（Read
Only Memory）・ＲＡＭ（Random Access Memory）等の記憶手段を備え、公知の入出力手段を備える情報処理装置等を中心に構成される情報処理システムである。特に、多数の動画像データを保存可能な大容量の記憶手段を備え、かつ、データ量の大きい動画像データをスムーズに配信可能な大容量回線の伝送手段を備える。例えば、複数の情報処理装置により構成されたり、いわゆるクラウド型の構成により実現されてよい。具体的なシステムとして、ＹｏｕＴｕｂｅ（登録商標）やニコニコ動画（登録商標）等が知られている。
【００１９】
サービス提供サーバ３００は、ＣＰＵ（Central Processing Unite）により制御される、ＲＯＭ（Read
Only Memory）・ＲＡＭ（Random Access Memory）等の記憶手段を備え、公知の入出力手段を備える情報処理装置である。例えば、ワークステーション、高機能のパーソナル・コンピュータ等である。通常の資力の事業者により運営されてよい。
【００２０】
閲覧者端末４００は、ＣＰＵ（Central Processing Unite）により制御される、ＲＯＭ（Read
Only Memory）・ＲＡＭ（Random Access Memory）等の記憶手段を備え、公知の入出力手段を備える情報処理装置である。特に、液晶ディスプレイ等の動画像データ等の表示手段を備える。例えば、パーソナル・コンピュータ、携帯端末等である。
【００２１】
情報提供システム１０を構成する、登録者端末１００と、動画像データ送信システム２００と、サービス提供サーバ３００と、閲覧者端末４００は、主として情報処理装置であり、これらの詳細な構成は公知の種々の技術が適用されてよく、上記した以外の説明はここでは省略する。
【００２２】
図２に、本実施の形態に係る情報提供システム１０を構成する、登録者端末１００と、動画像データ送信システム２００と、サービス提供サーバ３００と、閲覧者端末４００の機能ブロックを示す。
【００２３】
図２を参照すると、登録者端末１００は、第２の動画像データ送信部１０１と、限定公開識別情報受信部１０２と、情報送信部１０３を備えている。各部は、公知の入出力Ｉ／ＦやＣＰＵ等により実現されてよい。
【００２４】
第２の動画像データ送信部１０１は、動画像データを動画提供システム２００に保存させるために動画提供システム２００に送信する機能を有している。動画像データは、個人の生前のメッセージ（ラストメッセージ）を含むデータである。動画像データには、静止画像データ・文字データや音声・音楽データ等が付加されていてもよい。
限定公開識別情報受信部１０２は、動画提供システム２００から動画提供システム２００に保存された動画像データの限定公開識別情報（例えば限定公開ＵＲを含む埋め込みコードＬ等である。）を受信する機能を有している。
情報送信部１０３は、限定公開識別情報と特定の画面コンテンツへのアクセス情報の送り先の送り先情報（例えば電子メールアドレス等である。）と動画像データに含まれるメッセージの本人の識別情報をサービス提供サーバ３００に送信する機能を有している。
【００２５】
図２を参照すると、動画像データ送信システム２００は、第１の動画像データ受信部２０１と、限定公開識別情報生成部２０２と、限定公開識別情報送信部２０３と、第１の動画像データ送信部２０４を備えている。各部は、公知の入出力Ｉ／ＦやＣＰＵ等により実現されてよい。
【００２６】
第１の動画像データ受信部２０１は、動画像データを登録者端末１００から受信する機能を有している。
限定公開識別情報生成部２０２は、保存した動画像データを識別する情報等を含む限定公開識別情報を生成する機能を有している。例えば、動画像データが保存されたインターネット上の位置を一意に示すＵＲＬには、動画像データを識別する情報が含まれているといえる。したがって、そのＵＲＬを含む埋め込みコード（埋め込みタグ）等にも動画像データを識別する情報が含まれているといえる。
限定公開識別情報送信部２０３は、限定公開識別情報を登録者端末１００に送信する機能を有している。
第１の動画像データ送信部２０４は、閲覧者端末４００がサービス提供サーバ３００に送信した送信要求をサービス提供サーバ３００から受け取り、その送信要求に応じて所定の動画像データをサービス提供サーバ３００に送信する機能を有している。その送信要求は、動画像データ送信システム２００に保存されている動画像データ（通常は多数の動画像データ）のうち限定公開識別情報により特定される所定の動画像データの送信要求である。
【００２７】
図２を参照すると、サービス提供サーバ３００は、情報受信部３０１と、アクセス情報生成部３０２と、アクセス情報送信部３０３と、第１の送信要求部３０４と、第２の動画像データ受信部３０５と、第３の動画像データ送信部３０６を備えている。各部は、公知の入出力Ｉ／ＦやＣＰＵ等により実現されてよい。
【００２８】
情報受信部３０１は、限定公開識別情報と送り先情報と動画像データに含まれるメッセージの本人の識別情報を登録者端末１００から受信する機能を有している。
アクセス情報生成部３０２は、限定公開識別情報と送り先情報と動画像データに含まれるメッセージの本人の識別情報と紐付けられる特定の画面コンテンツへのアクセス情報を生成する機能を有している。限定公開識別情報と送り先情報と動画像データに含まれるメッセージの本人の識別情報とアクセス情報を紐付けて所定の記憶手段に保存する機能を有している。
アクセス情報送信部３０３は、上記の動画像データに含まれる生前のメッセージの本人の生存終了情報をトリガとしてアクセス情報を送り先情報の送り先に送信する機能を有している。
第１の送信要求部３０４は、閲覧者端末４００からの送信要求を受けて、所定の動画像データの送信要求をアクセス情報に紐付けられる限定公開識別情報に基づいて動画提供システム２００に送信する機能を有している。
第２の動画像データ受信部３０５は、動画提供システム２００から送信された所定の動画像データを受信する機能を有している。動画像データのファイルを一括してダウンロードすることでも、いわゆるストリーミング配信されることでも、どのような態様であってもよい。
第３の動画像データ送信部３０６は、動画提供システム２００から受信した所定の動画像データを閲覧者端末４００に送信する機能を有している。
【００２９】
図２を参照すると、閲覧者端末４００は、アクセス情報受信部４０１と、第２の送信要求部４０２と、第３の動画像データ受信部４０３と、動画像データ出力部４０４を備えている。各部は、公知の入出力Ｉ／ＦやＣＰＵ等により実現されてよい。
【００３０】
アクセス情報受信部４０１は、アクセス情報を送り先情報の送り先から受信する機能を有している。例えば、任意の場所に存在する閲覧者端末４００から、所定の電子メールサーバ（不図示）にアクセスして、電子メールを受信することで、電子メールアドレス宛てに送信された特定の画面コンテンツへのアクセス情報としてのＵＲＬを受信する。
第２の送信要求部４０２は、アクセス情報に紐付けられる限定公開識別情報により特定される所定の動画像データの送信要求をアクセス情報に基づいてサービス提供サーバ３００に送信する機能を有している。
第３の動画像データ受信部４０３は、サービス提供サーバ３００から送信された所定の動画像データを受信する機能を有している。動画像データのファイルを一括してダウンロードすることでも、いわゆるストリーミング配信されることでも、どのような態様であってもよい。
動画像データ出力部４０４は、サービス提供サーバ３００から受信した所定の動画像データを出力する機能を有している。例えば、液晶ディスプレイ等に動画像データおよび静止画像データ・文字データ等を表示して、音声スピーカ等から音声・音楽データ等を出力する。
【００３１】
次に、本実施の形態に係る情報提供システム１０の処理動作を、図３の説明図および図４のシーケンス図を参照して詳細に説明する。
ここでは、動画像データ送信システム２００としてはＹｏｕＴｕｂｅ（登録商標）のシステムを、また、限定公開識別情報としてはＹｏｕＴｕｂｅ（登録商標）の限定公開ＵＲＬを含む埋め込みコードを、また、送り先情報としては電子メールアドレスを、また、特定の画面コンテンツへのアクセス情報としてはサービス提供サーバ３００が提供するＷｅｂサイトのうちの閲覧画面ページのＵＲＬを前提とする。
【００３２】
まず、登録者端末１００の第２の動画像データ送信部１０１は、動画像データを動画提供システム２００に保存させるべく動画提供システム２００に送信（図３参照）する（ステップＳ４０１）。なお、動画像データは、ビデオカメラ等の撮像装置により撮影された動画像データである。個人の生前のメッセージ（ラストメッセージ・お別れメッセージ）を含むデータであり、静止画像データ・文字データや音声・音楽データ等が付加されていてもよい。
動画像データ送信システム２００の第１の動画像データ受信部２０１は、動画像データを登録者端末１００から受信する（ステップＳ４０２）。そして、動画像データ送信システム２００は受信した動画像データを自システム内に保存する。
【００３３】
次に、動画像データ送信システム２００の限定公開識別情報生成部２０２は、保存した動画像データの限定公開ＵＲＬを含む埋め込みコードを生成する（ステップＳ４０３）。限定公開ＵＲＬは、原則として限定公開のＵＲＬ（Uniform Resource Locator）であり、そのＵＲＬにより特定される動画像データへのアクセスを許可してもよい特定の者に対してのみ公開（開示）されるものである。なお、限定公開ＵＲＬでない場合には、動画像データがＹｏｕＴｕｂｅ（登録商標）にアップロードされて保存されると、その動画像データが保存されたインターネット上の位置を示すＵＲＬが生成されてそのＵＲＬが一般に公開される。
【００３４】
次に、動画像データ送信システム２００の第１の限定公開識別情報送信部２０３は、上記のステップＳ４０３で生成した限定公開ＵＲＬを含む埋め込みコードを登録者端末１００に送信（図３参照）する（ステップＳ４０４）。
登録者端末１００の限定公開識別情報受信部１０２は、動画提供システム２００の限定公開識別情報送信部２０３から動画提供システム２００に保存された動画像データの限定公開ＵＲＬを含む埋め込みコードを受信する（ステップＳ４０５）。
【００３５】
次に、登録者端末１００の情報送信部１０３は、サービス提供サーバ３００が提供する所定のＷｅｂサイト等にアクセスする。限定公開ＵＲＬを含む埋め込みコードと閲覧画面ページのＵＲＬの送り先の電子メールアドレスと動画像データに含まれるメッセージの本人の識別情報を、例えば、図５に示すような、上記のＷｅｂサイト等の登録画面ページから入力して、サービス提供サーバ３００に送信（図３参照）する（ステップＳ４０６）。自己の動画像データを生存終了後に見て欲しい配偶者やその他の家族、親類、友人、地域の知人、仕事関係の知人が所有する電子メールアドレスを１つまたは複数、サービス提供サーバ３００に送信する。
例えば、図５の登録画面ページでは、自己の動画像データをフェアウェルムービーとして登録する。
まず、「フェアウェルムービーの登録」の欄に、ＹｏｕＴｕｂｅ（登録商標）でムービーを‘限定公開’に設定した時に表示されたＵＲＬと、そのムービーを見て頂く方への挨拶文を入力する。ムービーはムービー１とムービー２の２種類まで登録することができ、仕事関係とプライベート関係などの使い分けが可能となる。また、フェアウェルムービーが無い場合は、写真の登録も可能で、その場合は‘写真’をチェックし、任意のファイルを選択して登録する。
次に、家族、親戚など親しい方にフェアウェルムービーの登録を知らせる。フェアウェルムービーを制作／登録していても、そのことをご家族など親しい方が知らなければ、いざという時に役に立たない。配信を確実なものにするためにも、必ずフェアウェルムービーの存在を親しい方に知らせておく。最低でも一人には必ず知らせる。「フェアウェルムービーの登録をお知らせする方」の欄に、お知らせする方のお名前と電子メールアドレスを入力し、‘メールを送信’をクリックする。電子メールソフトが立ち上がるので、表示されている文面をチェックし、必要であれば内容を追加、修正し、送信する。入力した電子メールアドレスへ、自身がフェアウェルムービーを登録したことを知らせる電子メールが送信される。
さらに、フェアウェルムービーを見て頂く方を登録する。‘フェアウェルムービーを見て頂く方’の欄で、右上の‘新規配信先’をクリックし、表示されたウィンドウで、ムービーを見て頂く方の名前、電子メールアドレスを入力し、プルダウンから自身との関係を選択、及び１と２どちらのムービーを見て頂くかを選択する。上部プルダウンから関係を選択することにより、表示内容を切り替えることができる。
入力し終わったら下の‘情報を確定する’をクリックし、設定を終了する。
【００３６】
図４に戻り、サービス提供サーバ３００の情報受信部３０１は、限定公開ＵＲＬを含む埋め込みコードと閲覧画面ページのＵＲＬの送り先の電子メールアドレスと動画像データに含まれるメッセージの本人の識別情報を登録者端末１００から受信する（ステップＳ４０７）。
【００３７】
そして、サービス提供サーバ３００のアクセス情報生成部３０２は、限定公開ＵＲＬを含む埋め込みコードとその限定公開ＵＲＬを含む埋め込みコードの送り先の電子メールアドレスと動画像データに含まれるメッセージの本人の識別情報と紐付けられる閲覧画面ページのＵＲＬを生成して、限定公開ＵＲＬを含む埋め込みコードと閲覧画面ページのＵＲＬの送り先の電子メールアドレスと動画像データに含まれるメッセージの本人の識別情報と閲覧画面ページのＵＲＬを紐付けて所定の記憶手段に保存する（ステップＳ４０８）。例えば、ハードディスの所定の領域にテーブルを設け、限定公開ＵＲＬを含む埋め込みコードと閲覧画面ページのＵＲＬの送り先の電子メールアドレスと動画像データに含まれるメッセージの本人の識別情報と閲覧画面ページのＵＲＬを紐付けて格納する。
【００３８】
さて、サービス提供サーバ３００のアクセス情報送信部３０３は、動画像データに含まれるメッセージの本人の生存終了情報を受け取ると、それをトリガとして所定の記憶手段に保存していた閲覧画面ページのＵＲＬを所定の定型の案内文とともに電子メールアドレス宛てに送信（図３参照）する（ステップＳ４０９）。上記のテーブルをメッセージの本人の識別情報をキーとして検索して、閲覧画面ページのＵＲＬとその閲覧画面ページのＵＲＬの送り先の電子メールアドレスを取得する。なお、本人の生存終了情報は、配偶者やその他の家族等の予め、メッセージの存在を知らされていた者によるサービス提供サーバ３００の管理者等への電子メール・電話等での通報や、公知の手法である定期的に本人の端末等に電子メール送信を行い、一定期間返信がないとき（第三者への確認を経てもよい）に生存終了とみなしたりすること等で受け取る。したがって、生存終了情報を受け取ると、それをトリガとしてサービス提供サーバ３００の管理者等がサービス提供サーバ３００を操作して本ステップの処理を開始させたり、または自動的にサービス提供サーバ３００が本ステップの処理を開始することであってよい。
【００３９】
そして、閲覧者端末４００のアクセス情報受信部４０１は、上記の電子メールアドレス宛ての電子メールを管理する所定の電子メールサーバ（不図示）にアクセスして、閲覧画面ページのＵＲＬが情報として付された電子メールを受信する（ステップＳ４１０）。
【００４０】
次に、閲覧者端末４００の第２の送信要求部４０２は、電子メールに付された閲覧画面ページのＵＲＬの文字列部分を閲覧者端末４００のユーザがクリックする操作を受け付けることで、サービス提供サーバ３００が提供するＷｅｂサイトの閲覧画面ページにアクセスする。そして、閲覧者端末４００の第２の送信要求部４０２は、閲覧者端末４００の所定の表示手段に表示される、例えば、図６に示すような閲覧画面ページ中の動画像データの再生領域の近傍に設けられたスタートボタンをユーザがクリックする操作を受け付けることで、動画像データの送信要求（閲覧画面ページのＵＲＬ情報を伴う）をサービス提供サーバ３００に送信（図３参照）する（ステップＳ４１１）。
【００４１】
サービス提供サーバ３００の第１の送信要求部３０４は、上記のテーブルを閲覧者端末４００からの送信要求に伴なわれた閲覧画面ページのＵＲＬをキーとして検索して、閲覧画面ページのＵＲＬに紐付けられている限定公開ＵＲＬを含む埋め込みコードを取得して、動画像データの送信要求（限定公開ＵＲＬを含む埋め込みコード情報を伴う）を動画提供システム２００に送信（図３参照）する（ステップＳ４１２）。
【００４２】
動画提供システム２００の第１の動画像データ送信部２０４は、閲覧者端末４００がサービス提供サーバ３００に送信した、限定公開ＵＲＬを含む埋め込みコードによりインターネット上の位置が一意に特定される動画像データの送信要求（限定公開ＵＲＬを含む埋め込みコード情報を伴う）をサービス提供サーバ３００から受け取り、その送信要求に応じて限定公開ＵＲＬを含む埋め込みコードにより特定された動画像データをサービス提供サーバ３００に送信（図３参照）する（ステップＳ４１３）。
第２の動画像データ受信部３０５は、動画提供システム２００から送信された所定の動画像データを受信する（ステップＳ４１４）。動画像データのファイルを一括してダウンロードすることでも、いわゆるストリーミング配信されることでも、どのような態様であってもよい。
閲覧者端末４００の第３の動画像データ受信部４０３は、サービス提供サーバ３００から送信された所定の動画像データを受信する（ステップＳ４１５）。動画像データのファイルを一括してダウンロードすることでも、いわゆるストリーミング配信されることでも、どのような態様であってもよい。
閲覧者端末４００の動画像データ出力部４０４は、サービス提供サーバ３００から受信した所定の動画像データを再生表示する（ステップＳ４１６）。例えば、液晶ディスプレイ等に動画像データおよび静止画像データ・文字データ等を表示して、音声スピーカ等から音声・音楽データ等を出力する。これにより、個人自身の生前の感謝の気持ち等を伝えるメッセージが閲覧者端末４００のユーザに閲覧等される。
【００４３】
上記の本実施の形態によれば、大容量記憶部・大容量回線等の高価なハードウェアが求められる構成部分を、ＹｏｕＴｕｂｅ（登録商標）等の既存のシステムを利用することにより、システム全体の構築コストを低減したので通常の資力の事業者によりサービス提供サーバ３００を用いたサービス提供が商業ベースで継続して可能となる。
なお、ＹｏｕＴｕｂｅ（登録商標）等のユーザの利用料金は原則無料であるので、サービス提供事業者のシステム構築コストの低減のしわ寄せが、サービス利用者に別途の経済的負担として転嫁されることもない。
【００４４】
上記の本実施の形態によれば、登録者端末１００と動画提供システム２００と閲覧者端末４００でシステムを構成して、動画像データが保存された動画提供システム２００のみで限定公開ＵＲＬを含む埋め込みコードを保持することと比較して、限定公開ＵＲＬを含む埋め込みコードは登録者端末１００に送信されて渡されるので、登録者端末１００は、サービス提供サーバ３００はもちろん、限定公開ＵＲＬを含む埋め込みコードを開示したい任意の者に対して任意のタイミングで開示することが可能となり、限定公開ＵＲＬを含む埋め込みコードの有効利用を図ることができる。
【００４５】
上記の本実施の形態によれば、閲覧者端末４００は、閲覧画面のＵＲＬからサービス提供サーバ３００が提供するＷｅｂサイトにアクセスしているので、閲覧者端末４００は、動画像データの閲覧後に、サービス提供サーバ３００が提供する同一のＷｅｂサイト上の他のサービスを受けることができる。例えば、図６に示すように同一のＷｅｂサイト上にサービス提供サーバ３００から提供される自分史コンテンツを閲覧することであってもよい。自分史とは、上記の動画像データのメッセージの本人の人生の年表コンテンツであり、思い出の写真データや日記データが付加されていてもよい。
【００４６】
図１では、説明・理解の便宜のため、登録者端末１００と、閲覧者端末４００は１つずつの構成としているが、複数とする構成であってもよい。
また、登録者端末１００と、閲覧者端末４００は同一の端末とする構成であってもよい。
また、動画提供システム２００からの動画像データの閲覧者端末４００への送信は、その動画像データが格納されたＤＶＤ等の記録媒体によってもよい。
また、上記のステップＳ４０１の登録者端末１００が動画像データを動画提供システム２００に送信するに先立ち、登録者端末１００が、サービス提供サーバ３００が提供する所定のＷｅｂサイト等にアクセスして、サービス提供サーバ３００から提供されるその送信方法の案内画面が登録者端末１００の表示手段に表示されることであってもよい。
また、登録者端末１００とサービス提供サーバ３００間における課金システムが組み込まれてもよい。
上記のとおり、登録者端末１００は、サービス提供サーバ３００はもちろん、限定公開ＵＲＬを含む埋め込みコードを開示したい任意の者に対して任意のタイミングで開示することが可能となる。したがって、例えば、お葬式会場において二次元バーコード等で限定公開ＵＲＬを含む埋め込みコードを参列者に公開して、参列者が所定の携帯端末等で動画像データを閲覧する等の運用も可能である。
【００４７】
（変形例）
登録者端末１００のユーザが自ら動画データを動画像データ送信システム２００に送信・保存するのではなく、サービス提供サーバ２００の管理者等に代行してもらう。登録者端末１００のユーザが、高齢者等であり、ＩＴの取扱いに慣れていない場合等に有益なシステム構成である。なお、サービス提供サーバ２００側で代行手数料を課金することであってもよい。
登録者端末１００は、動画像データと閲覧画面のＵＲＬの送り先の電子メールアドレスをサービス提供サーバ２００に送信し、サービス提供サーバ３００からサービス提供サーバ３００が動画像データ送信システム２００から取得した動画像データの限定公開ＵＲＬを含む埋め込みコードを受信する。サービス提供サーバ３００は動画像データ送信システム２００から取得した動画像データの限定公開ＵＲＬを含む埋め込みコードを上記の第１の実施の形態と同様に取り扱う。
【００４８】
以下、本発明の第２の実施の形態を図面を参照しつつ説明する。なお、本実施の形態は、上記の第１の実施の形態とは、サービス提供サーバが閲覧者端末とのやり取りに際して、限定公開識別情報に紐付けられた特定の画面コンテンツへのアクセス情報の代わりに限定公開識別情報を用いる点が大きな相違点である。
本実施の形態における情報提供システムの構成を図７を参照して説明する。なお、上記の第１の実施の形態と同様の構成部分は重複する説明を省略する。
【００４９】
図７に示すように、情報提供システム２０は、登録者端末１００と、動画像データ送信システム２００と、サービス提供サーバ３００´と、閲覧者端末４００から構成されているが、上記の第１の実施の形態と基本的に同様の構成である。
【００５０】
登録者端末１００と、動画像データ送信システム２００は所定のネットワークを介して接続されている。また、登録者端末１００と、サービス提供サーバ３００´は所定のネットワークを介して接続されている。
閲覧者端末４００と、サービス提供サーバ３００は´所定のネットワークを介して接続されている。また、閲覧者端末４００と、動画像データ送信システム２００は所定のネットワークを介して接続されている。
上記の所定のネットワークは、インターネット・ＬＡＮ（Local Area Network）等であってよく、また有線・無線等は問わない。
【００５１】
図８に、本実施の形態に係る情報提供システム２０を構成する、登録者端末１００と、動画像データ送信システム２００と、サービス提供サーバ３００´と、閲覧者端末４００の機能ブロックを示す。
【００５２】
図８を参照すると、登録者端末１００は、動画像データ送信部１０１と、第１の限定公開識別情報受信部１０２と、情報送信部１０３を備えている。各部は、公知の入出力Ｉ／ＦやＣＰＵ等により実現されてよい。
【００５３】
動画像データ送信部１０１は、動画像データを動画提供システム２００に保存させるために動画提供システム２００に送信する機能を有している。動画像データは、個人の生前のメッセージ（ラストメッセージ）を含むデータである。動画像データには、静止画像データ・文字データや音声・音楽データ等が付加されていてもよい。
第１の限定公開識別情報受信部１０２は、動画提供システム２００から動画提供システム２００に保存された動画像データの限定公開識別情報（例えば限定公開ＵＲＬを含む埋め込みコード等である。）を受信する機能を有している。
情報送信部１０３は、限定公開識別情報と限定公開識別情報の送り先の送り先情報（例えば電子メールアドレス等である。）と動画像データに含まれるメッセージの本人の識別情報をサービス提供サーバ３００に送信する機能を有している。
【００５４】
図８を参照すると、動画像データ送信システム２００は、動画像データ受信部２０１と、限定公開識別情報生成部２０２と、第１の限定公開識別情報送信部２０３と、動画像データ送信部２０４を備えている。各部は、公知の入出力Ｉ／ＦやＣＰＵ等により実現されてよい。
【００５５】
動画像データ受信部２０１は、動画像データを登録者端末１００から受信する機能を有している。
限定公開識別情報生成部２０２は、保存した動画像データを識別する情報等を含む限定公開識別情報を生成する機能を有している。例えば、動画像データが保存されたインターネット上の位置を一意に示すＵＲＬには、動画像データを識別する情報が含まれているといえる。したがって、そのＵＲＬを含む埋め込みコード等にも動画像データを識別する情報が含まれているといえる。
第１の限定公開識別情報送信部２０３は、限定公開識別情報を登録者端末１００に送信する機能を有している。
動画像データ送信部２０４は、閲覧者端末４００からの送信要求を受け取り、その送信要求に応じて所定の動画像データを送信する機能を有している。その送信要求は、動画像データ送信システム２００に保存されている動画像データ（通常は多数の動画像データ）のうち限定公開識別情報により特定される所定の動画像データの送信要求である。
【００５６】
図８を参照すると、サービス提供サーバ３００´は、情報受信部３０１と、管理部３０２と、第２の限定公開識別情報送信部３０３を備えている。各部は、公知の入出力Ｉ／ＦやＣＰＵ等により実現されてよい。
【００５７】
情報受信部３０１は、限定公開識別情報と送り先情報を登録者端末１００から受信する機能を有している。
管理部３０２は、限定公開識別情報と送り先情報とを所定の記憶手段等に保存して管理する機能を有している。
第２の限定公開識別情報送信部３０３は、上記の動画像データに含まれる生前のメッセージの本人の生存終了情報をトリガとして限定公開識別情報を送り先情報の送り先に送信する機能を有している。
【００５８】
図８を参照すると、閲覧者端末４００は、第２の限定公開識別情報受信部４０１と、送信要求部４０２と、動画像データ被送信部４０３と、動画像データ出力部４０４を備えている。各部は、公知の入出力Ｉ／ＦやＣＰＵ等により実現されてよい。
【００５９】
第２の限定公開識別情報受信部４０１は、限定公開識別情報を送り先情報の送り先から受信する機能を有している。例えば、任意の場所に存在する閲覧者端末４００から、所定の電子メールサーバ（不図示）にアクセスして、電子メールを受信することで、電子メールアドレス宛てに送信された限定公開ＵＲＬを含む埋め込みコードを受信する。
送信要求部４０２は、限定公開識別情報により特定される所定の動画像データの送信要求を限定公開識別情報に基づいて動画提供システム２００に送信する機能を有している。
動画像データ被送信部４０３は、動画提供システム２００から所定の動画像データの送信を受ける機能を有している。動画像データのファイルを一括してダウンロードすることでも、いわゆるストリーミング配信されることでも、どのような態様であってもよい。
動画像データ出力部４０４は、動画提供システム２００から送信された所定の動画像データを出力する機能を有している。例えば、液晶ディスプレイ等に動画像データおよび静止画像データ・文字データ等を表示して、音声スピーカ等から音声・音楽データ等を出力する。
【００６０】
次に、本実施の形態に係る情報提供システム２０の処理動作を、図９の説明図および図１０のシーケンス図を参照して詳細に説明する。
ここでは、動画像データ送信システム２００としてはＹｏｕＴｕｂｅ（登録商標）のシステムを、また、限定公開識別情報としてはＹｏｕＴｕｂｅ（登録商標）の限定公開ＵＲＬを含む埋め込みコードを、また、送り先情報としては電子メールアドレスを前提とする。
【００６１】
まず、登録者端末１００の動画像データ送信部１０１は、動画像データを動画提供システム２００に保存させるべく動画提供システム２００に送信（図９参照）する（ステップＳ１００１）。なお、動画像データは、ビデオカメラ等の撮像装置により撮影された動画像データである。個人の生前のメッセージ（ラストメッセージ・お別れメッセージ）を含むデータであり、静止画像データ・文字データや音声・音楽データ等が付加されていてもよい。
動画像データ送信システム２００の動画像データ受信部２０１は、動画像データを登録者端末１００から受信する（ステップＳ１００２）。そして、動画像データ送信システム２００は受信した動画像データを自システム内に保存する。
【００６２】
次に、動画像データ送信システム２００の限定公開識別情報生成部２０２は、保存した動画像データの限定公開ＵＲＬを含む埋め込みコードを生成する（ステップＳ１００３）。限定公開ＵＲＬは、原則として限定公開のＵＲＬ（Uniform Resource Locator）であり、そのＵＲＬにより特定される動画像データへのアクセスを許可してもよい特定の者に対してのみ公開（開示）されるものである。なお、限定公開ＵＲＬでない場合には、動画像データがＹｏｕＴｕｂｅ（登録商標）にアップロードされて保存されると、その動画像データが保存されたインターネット上の位置を示すＵＲＬが生成されてそのＵＲＬが一般に公開される。
【００６３】
次に、動画像データ送信システム２００の第１の限定公開識別情報送信部２０３は、上記のステップＳ１００３で生成した限定公開ＵＲＬを含む埋め込みコードを登録者端末１００に送信（図９参照）する（ステップＳ１００４）。
登録者端末１００の第１の限定公開識別情報受信部１０２は、動画提供システム２００の第１の限定公開識別情報送信部２０３から動画提供システム２００に保存された動画像データの限定公開ＵＲＬを含む埋め込みコードを受信する（ステップＳ１００５）。
【００６４】
次に、登録者端末１００の情報送信部１０３は、サービス提供サーバ３００が提供する所定のＷｅｂサイト等にアクセスする。限定公開ＵＲＬを含む埋め込みコードとその限定公開ＵＲＬを含む埋め込みコードの送り先の電子メールアドレスと動画像データに含まれるメッセージの本人の識別情報を、例えば、第１の実施の形態と同様の図５に示すような、上記のＷｅｂサイト等の登録画面に入力して、サービス提供サーバ３００´に送信（図９参照）する（ステップＳ１００６）。自己の動画像データを生存終了後に見て欲しい配偶者やその他の家族、親類、友人、地域の知人、仕事関係の知人が所有する電子メールアドレスを１つまたは複数、サービス提供サーバ３００´に送信する。
サービス提供サーバ３００´の情報受信部３０１は、限定公開ＵＲＬを含む埋め込みコードとその限定公開ＵＲＬを含む埋め込みコードの送り先の電子メールアドレスと動画像データに含まれるメッセージの本人の識別情報を登録者端末１００から受信する（ステップＳ１００７）。
【００６５】
そして、サービス提供サーバ３００´の管理部３０２は、限定公開ＵＲＬを含む埋め込みコードとその限定公開ＵＲＬを含む埋め込みコードの送り先の電子メールアドレスと動画像データに含まれるメッセージの本人の識別情報を所定の記憶手段に保存して管理する（ステップＳ１００８）。例えば、ハードディスの所定の領域にテーブルを設け、限定公開ＵＲＬを含む埋め込みコードとその限定公開ＵＲＬを含む埋め込みコードの送り先の電子メールアドレスと動画像データに含まれるメッセージの本人の識別情報と紐付けて格納する。
【００６６】
さて、サービス提供サーバ３００´の第２の限定公開識別情報送信部３０３は、動画像データに含まれるメッセージの本人の生存終了情報を受け取ると、それをトリガとして所定の記憶手段に保存して管理していた限定公開ＵＲＬを含む埋め込みコードを所定の定型の案内文とともに電子メールアドレス宛てに送信（図９参照）する（ステップＳ１００９）。例えば、上記のテーブルをメッセージの本人の識別情報に基づいて検索して、限定公開ＵＲＬを含む埋め込みコードとその限定公開ＵＲＬを含む埋め込みコードの送り先の電子メールアドレスを取得する。なお、本人の生存終了情報は、配偶者やその他の家族等の予め、メッセージの存在を知らされていた者によるサービス提供サーバ３００´の管理者等への電子メール・電話等での通報や、公知の手法である定期的に本人の端末等に電子メール送信を行い、一定期間返信がないとき（第三者への確認を経てもよい）に生存終了とみなしたりすること等で受け取る。したがって、生存終了情報を受け取ると、それをトリガとしてサービス提供サーバ３００´の管理者等がサービス提供サーバ３００´を操作して本ステップの処理を開始させたり、または自動的にサービス提供サーバ３００´が本ステップの処理を開始することであってよい。
【００６７】
そして、閲覧者端末４００の第２の限定公開識別情報受信部４０１は、上記の電子メールアドレス宛ての電子メールを管理する所定の電子メールサーバ（不図示）にアクセスして、限定公開ＵＲＬを含む埋め込みコードが情報として付された電子メールを受信する（ステップＳ１０１０）。
【００６８】
次に、閲覧者端末４００の送信要求部４０２は、限定公開ＵＲＬを含む埋め込みコードによりインターネット上の位置が一意に特定される動画像データの送信要求を、限定公開ＵＲＬを含む埋め込みコードに基づいて限定公開ＵＲＬを含む埋め込みコードにより特定される動画提供システム２００に送信（図９参照）する（ステップＳ１０１１）。具体的には、例えば、電子メールに付された限定公開ＵＲＬを含む埋め込みコードの文字列部分を閲覧者端末４００のユーザがクリックする操作を受け付けることで動画像データの送信要求を動画提供システム２００に送信する。
動画提供システム２００の動画像データ送信部２０４は、閲覧者端末４００からの限定公開ＵＲＬを含む埋め込みコードによりインターネット上の位置が一意に特定される動画像データの送信要求を受け取り、その送信要求に応じてその動画像データを閲覧者端末４００に送信（図９参照）する（ステップＳ１０１２）。
閲覧者端末４００の動画像データ被送信部４０３は、動画提供システム２００からその動画像データの送信を受ける（ステップＳ１０１３）。動画像データのファイルを一括してダウンロードすることでも、いわゆるストリーミング配信されることでも、どのような態様であってもよい。
閲覧者端末４００の動画像データ出力部４０４は、動画提供システム２００から送信された所定の動画像データを再生表示する（ステップＳ１０１４）。例えば、液晶ディスプレイ等に動画像データおよび静止画像データ・文字データ等を表示して、音声スピーカ等から音声・音楽データ等を出力する。これにより、個人自身の生前の感謝の気持ち等を伝えるメッセージが閲覧者端末４００のユーザに閲覧等される。
【００６９】
上記の本実施の形態によれば、大容量記憶部・大容量回線等の高価なハードウェアが求められる構成部分を、ＹｏｕＴｕｂｅ（登録商標）等の既存のシステムを利用することにより、システム全体の構築コストを低減したので通常の資力の事業者によりサービス提供サーバ３００´を用いたサービス提供が商業ベースで継続して可能となる。
なお、ＹｏｕＴｕｂｅ（登録商標）等のユーザの利用料金は原則無料であるので、サービス提供事業者のシステム構築コストの低減のしわ寄せが、サービス利用者に別途の経済的負担として転嫁されることもない。
【００７０】
上記の本実施の形態によれば、登録者端末１００と動画提供システム２００と閲覧者端末４００でシステムを構成して、動画像データが保存された動画提供システム２００のみで限定公開ＵＲＬを含む埋め込みコードを保持することと比較して、限定公開ＵＲＬを含む埋め込みコードは登録者端末１００に送信されて渡されるので、登録者端末１００は、サービス提供サーバ３００´はもちろん、限定公開ＵＲＬを含む埋め込みコードを開示したい任意の者に対して任意のタイミングで開示することが可能となり、限定公開ＵＲＬを含む埋め込みコードの有効利用を図ることができる。
【００７１】
図７では、説明・理解の便宜のため、登録者端末１００と、閲覧者端末４００は１つずつの構成としているが、複数とする構成であってもよい。
また、登録者端末１００と、閲覧者端末４００は同一の端末とする構成であってもよい。
また、動画提供システム２００からの動画像データの閲覧者端末４００への送信は、その動画像データが格納されたＤＶＤ等の記録媒体によってもよい。
また、上記のステップＳ４０１の登録者端末１００が動画像データを動画提供システム２００に送信するに先立ち、登録者端末１００が、サービス提供サーバ３００´が提供する所定のＷｅｂサイト等にアクセスして、サービス提供サーバ３００´から提供されるその送信方法の案内画面が登録者端末１００の表示手段に表示されることであってもよい。
また、閲覧者端末４００は動画像データの閲覧後に、サービス提供サーバ３００´が提供する所定のＷｅｂサイト等にアクセスして、サービス提供サーバ３００´から提供される自分史コンテンツを閲覧することであってもよい。自分史コンテンツとは、上記の動画像データのメッセージの本人の人生の年表コンテンツであり、思い出の写真データや日記データが付加されていてもよい。
また、登録者端末１００とサービス提供サーバ３００´間における課金システムが組み込まれてもよい。
上記のとおり、登録者端末１００は、サービス提供サーバ３００´はもちろん、限定公開ＵＲＬを含む埋め込みコードを開示したい任意の者に対して任意のタイミングで開示することが可能となる。したがって、例えば、お葬式会場において二次元バーコード等で限定公開ＵＲＬを含む埋め込みコードを参列者に公開して、参列者が所定の携帯端末等で動画像データを閲覧する等の運用も可能である。
【００７２】
以下、本発明の第３の実施の形態を図面を参照しつつ説明する。なお、本実施の形態は、上記の第１の実施の形態、第２の実施の形態とは、動画像データ送信システムにサービス提供サーバが組み込まれている点が大きな相違点である。
本実施の形態における情報提供システムの構成を図１１を参照して説明する。
【００７３】
図１１に示すように、情報提供システム３０は、登録者端末５００と、動画像データ送信システム６００と、閲覧者端末７００から構成されている。
【００７４】
登録者端末５００と、動画像データ送信システム６００は所定のネットワークを介して接続されている。また、閲覧者端末７００と、動画像データ送信システム６００は所定のネットワークを介して接続されている。
上記の所定のネットワークは、インターネット・ＬＡＮ（Local Area Network）等であってよく、また有線・無線等は問わない。
【００７５】
登録者端末５００は、ＣＰＵ（Central Processing Unite）により制御される、ＲＯＭ（Read
Only Memory）・ＲＡＭ（Random Access Memory）等の記憶手段を備え、公知の入出力手段を備える情報処理装置である。例えば、パーソナル・コンピュータ、携帯端末等である。
【００７６】
動画像データ送信システム６００は、ＣＰＵ（Central Processing Unite）により制御される、ＲＯＭ（Read
Only Memory）・ＲＡＭ（Random Access Memory）等の記憶手段を備え、公知の入出力手段を備えるサービス提供サーバを中心に構成される情報処理システムである。特に、多数の動画像データを保存可能な大容量の記憶手段を備え、かつ、データ量の大きい動画像データをスムーズに配信可能な大容量回線の伝送手段を備える。これらのハードウェアが将来的な技術の進歩により廉価に実現可能な場合等には、通常の資力の事業者により運営される単一のサービス提供サーバを中心にしたシステム構成が可能となる。もちろん、資力が十二分にある事業者により大規模投資がなされて実現されてもよい。
【００７７】
閲覧者端末７００は、ＣＰＵ（Central Processing Unite）により制御される、ＲＯＭ（Read
Only Memory）・ＲＡＭ（Random Access Memory）等の記憶手段を備え、公知の入出力手段を備える情報処理装置である。特に、液晶ディスプレイ等の動画像データ等の表示手段を備える。例えば、パーソナル・コンピュータ、携帯端末等である。
【００７８】
情報提供システム２０を構成する、登録者端末５００と、動画像データ送信システム６００と、閲覧者端末７００は、主として情報処理装置であり、これらの詳細な構成は公知の種々の技術が適用されてよく、上記した以外の説明はここでは省略する。
【００７９】
図１２に、本実施の形態に係る情報提供システム２０を構成する、登録者端末５００と、動画像データ送信システム６００と、閲覧者端末７００の機能ブロックを示す。
【００８０】
図１２を参照すると、登録者端末５００は、情報送信部５０１と、第１の限定公開識別情報受信部５０２と、情報送信部５０３を備えている。各部は、公知の入出力Ｉ／ＦやＣＰＵ等により実現されてよい。
【００８１】
情報送信部５０１は、動画像データと限定公開識別情報の送り先の送り先情報（例えば電子メールアドレス等である。）と動画像データに含まれるメッセージの本人の識別情報を動画像データ送信システム６００に保存させるために動画像データ送信システムに送信する機能を有している。動画像データは、個人の生前のメッセージ（ラストメッセージ）を含むデータである。動画像データには、静止画像データ・文字データや音声・音楽データ等が付加されていてもよい。
第１の限定公開識別情報受信部５０２は、動画像データ送信システム６００から動画像データ送信システム６００に保存された動画像データの限定公開識別情報（例えば限定公開ＵＲＬを含む埋め込みコード等である。）を受信する機能を有している。これにより、限定公開ＵＲＬを含む埋め込みコードは登録者端末１００に送信されて渡されるので、登録者端末１００は、サービス提供サーバ３００はもちろん、限定公開ＵＲＬを含む埋め込みコードを開示したい任意の者に対して任意のタイミングで開示することが可能となり、限定公開ＵＲＬを含む埋め込みコードの有効利用を図ることができる。
【００８２】
図１２を参照すると、動画像データ送信システム６００は、情報受信部６０１と、限定公開識別情報生成部６０２と、管理部６０３と、第１の限定公開識別情報送信部６０４と、第２の限定公開識別情報送信部６０５と、動画像データ送信部６０６を備えている。
【００８３】
情報受信部６０１は、個人の生前のメッセージを含む動画像データと限定公開識別情報の送り先の送り先情報と動画像データに含まれるメッセージの本人の識別情報を登録者端末５００から受信する機能を有している。
限定公開識別情報生成部６０２は、保存した動画像データを識別する情報等を含む限定公開識別情報を生成する機能を有している。例えば、動画像データが保存されたインターネット上の位置を一意に示すＵＲＬには、動画像データを識別する情報が含まれているといえる。したがって、そのＵＲＬを含む埋め込みコード等にも動画像データを識別する情報が含まれているといえる。
管理部６０３は、限定公開識別情報と送り先情報と動画像データに含まれるメッセージの本人の識別情報を所定の記憶手段等に紐付けて保存して管理する機能を有している。
第１の限定公開識別情報送信部６０４は、限定公開識別情報を登録者端末５００に送信する機能を有している。
第２の限定公開識別情報送信部６０５は、上記の動画像データに含まれる生前のメッセージの本人の生存終了情報をトリガとして限定公開識別情報を送り先情報の送り先に送信する機能を有している。
動画像データ送信部６０６は、閲覧者端末７００からの送信要求を受け取り、その送信要求に応じて所定の動画像データを送信する機能を有している。その送信要求は、動画像データ送信システム６００に保存されている動画像データ（通常は多数の動画像データ）のうち限定公開識別情報により特定される所定の動画像データの送信要求である。
【００８４】
図１２を参照すると、閲覧者端末７００は、第２の限定公開識別情報受信部７０１と、送信要求部７０２と、動画像データ受信部７０３と、動画像データ出力部７０４を備えている。各部は、公知の入出力Ｉ／ＦやＣＰＵ等により実現されてよい。
【００８５】
第２の限定公開識別情報受信部７０１は、限定公開識別情報を送り先情報の送り先から受信する機能を有している。例えば、任意の場所に存在する閲覧者端末７００から、所定の電子メールサーバ（不図示）にアクセスして、電子メールを受信することで、電子メールアドレス宛てに送信された限定公開ＵＲＬを含む埋め込みコードを受信する。
送信要求部７０２は、限定公開識別情報により特定される所定の動画像データの送信要求を限定公開識別情報に基づいて動画像データ送信システム６００に送信する機能を有している。
動画像データ受信部７０３は、動画像データ送信システム６００から所定の動画像データを受信する機能を有している。動画像データのファイルを一括してダウンロードすることでも、いわゆるストリーミング配信されることでも、どのような態様であってもよい。
動画像データ出力部７０４は、動画像データ送信システム６００から受信した所定の動画像データを出力する機能を有している。例えば、液晶ディスプレイ等に動画像データおよび静止画像データ・文字データ等を表示して、音声スピーカ等から音声・音楽データ等を出力する。
【００８６】
次に、本実施の形態に係る情報提供システム３０の処理動作を、図１３の説明図および図１４のシーケンス図を参照して詳細に説明する。
ここでは、限定公開識別情報としては限定公開ＵＲＬを含む埋め込みコードを、また、送り先情報としては電子メールアドレスを前提とする。
【００８７】
まず、登録者端末５００の情報送信部５０１は、動画像データと電子メールアドレスと動画像データに含まれるメッセージの本人の識別情報を動画像データ送信システム６００に保存させるべく動画像データ送信システム６００に送信（図１３参照）する（ステップＳ１４０１）。例えば、登録者端末５００の情報送信部５０１は、動画像データ送信システム６００が提供する所定のＷｅｂサイト等にアクセスする。動画像データと限定公開ＵＲＬを含む埋め込みコードの送り先の電子メールアドレスと動画像データに含まれるメッセージの本人の識別情報を、上記のＷｅｂサイト等の登録画面に入力して、動画像データ送信システム６００に送信（図１３参照）する。自己の動画像データを生存終了後に見て欲しい配偶者やその他の家族、親類、友人、地域の知人、仕事関係の知人が所有する電子メールアドレスを１つまたは複数、動画像データ送信システム６００に送信する。なお、動画像データは、ビデオカメラ等の撮像装置により撮影された動画像データである。個人の生前のメッセージ（ラストメッセージ・お別れメッセージ）を含むデータであり、静止画像データ・文字データや音声・音楽データ等が付加されていてもよい。
動画像データ送信システム６００の情報受信部６０１は、動画像データと電子メールアドレスと動画像データに含まれるメッセージの本人の識別情報を登録者端末５００から受信する（ステップＳ１４０２）。そして、動画像データ送信システム６００は受信した動画像データを自システム内に保存する。
【００８８】
次に、動画像データ送信システム６００の限定公開識別情報生成部６０２は、保存した動画像データの限定公開ＵＲＬを含む埋め込みコードを生成する（ステップＳ１４０３）。限定公開ＵＲＬは、原則として限定公開のＵＲＬ（Uniform Resource Locator）であり、そのＵＲＬにより特定される動画像データへのアクセスを許可してもよい特定の者に対してのみ公開（開示）されるものである。なお、限定公開ＵＲＬでない場合には、動画像データがＹｏｕＴｕｂｅ（登録商標）にアップロードされて保存されると、その動画像データが保存されたインターネット上の位置を示すＵＲＬが生成されてそのＵＲＬが一般に公開される。
また、動画像データ送信システム６００の管理部６０３は、動画像データと限定公開ＵＲＬを含む埋め込みコードとその限定公開ＵＲＬを含む埋め込みコードの送り先の電子メールアドレスと動画像データに含まれるメッセージの本人の識別情報を所定の記憶手段に保存して管理する（ステップＳ１４０４）。例えば、ハードディスの所定の領域にテーブルを設け、動画像データと限定公開ＵＲＬを含む埋め込みコードとその限定公開ＵＲＬを含む埋め込みコードの送り先の電子メールアドレスと動画像データに含まれるメッセージの本人の識別情報と紐付けて格納する。
【００８９】
次に、動画像データ送信システム６００の第１の限定公開識別情報送信部６０４は、上記のステップＳ１４０３で生成した限定公開ＵＲＬを含む埋め込みコードを登録者端末５００に送信（図１３参照）する（ステップＳ１４０５）。
登録者端末５００の第１の限定公開識別情報受信部５０２は、動画像データ送信システム６００の第１の限定公開識別情報送信部６０４から動画像データ送信システム６００に保存された動画像データの限定公開ＵＲＬを含む埋め込みコードを受信する（ステップＳ１４０６）。これにより、限定公開ＵＲＬを含む埋め込みコードは登録者端末１００に送信されて渡されるので、登録者端末１００は、サービス提供サーバ３００はもちろん、限定公開ＵＲＬを含む埋め込みコードを開示したい任意の者に対して任意のタイミングで開示することが可能となり、限定公開ＵＲＬを含む埋め込みコードの有効利用を図ることができる。
【００９０】
さて、動画像データ送信システム６００の第２の限定公開識別情報送信部６０５は、動画像データに含まれるメッセージの本人の生存終了情報を受け取ると、それをトリガとして所定の記憶手段に保存して管理していた限定公開ＵＲＬを含む埋め込みコードを所定の定型の案内文とともに電子メールアドレス宛てに送信（図１３参照）する（ステップＳ１４０７）。例えば、上記のテーブルをメッセージの本人の識別情報に基づいて検索して、限定公開ＵＲＬを含む埋め込みコードとその限定公開ＵＲＬを含む埋め込みコードの送り先の電子メールアドレスを取得する。なお、本人の生存終了情報は、配偶者やその他の家族等の予め、メッセージの存在を知らされていた者による動画像データ送信システム６００の管理者等への電子メール・電話等での通報や、公知の手法である定期的に本人の端末等に電子メール送信を行い、一定期間返信がないとき（第三者への確認を経てもよい）に生存終了とみなしたりすること等で受け取る。したがって、生存終了情報を受け取ると、それをトリガとして動画像データ送信システム６００の管理者等がサービス提供サーバ等を操作して本ステップの処理を開始させたり、または自動的にサービス提供サーバ等が本ステップの処理を開始することであってよい。
【００９１】
そして、閲覧者端末７００の第２の限定公開識別情報受信部７０１は、上記の電子メールアドレス宛ての電子メールを管理する所定の電子メールサーバ（不図示）にアクセスして、限定公開ＵＲＬを含む埋め込みコードが情報として付された電子メールを受信する（ステップＳ１４０８）。
【００９２】
次に、閲覧者端末７００の送信要求部７０２は、限定公開ＵＲＬを含む埋め込みコードによりインターネット上の位置が一意に特定される動画像データの送信要求を、限定公開ＵＲＬを含む埋め込みコードに基づいて限定公開ＵＲＬを含む埋め込みコードにより特定される動画像データ送信システム６００に送信（図１３参照）する（ステップＳ１４０９）。具体的には、例えば、電子メールに付された限定公開ＵＲＬを含む埋め込みコードの文字列部分を閲覧者端末７００のユーザがクリックする操作を受け付けることで動画像データの送信要求を動画像データ送信システム６００に送信する。
動画像データ送信システム６００の動画像データ送信部６０６は、閲覧者端末７００からの限定公開ＵＲＬを含む埋め込みコードによりインターネット上の位置が一意に特定される動画像データの送信要求を受け取り、その送信要求に応じてその動画像データを閲覧者端末７００に送信（図１３参照）する（ステップＳ１４１０）。
閲覧者端末７００の動画像データ受信部７０３は、動画像データ送信システム６００からその動画像データを受信する（ステップＳ１４１１）。動画像データのファイルを一括してダウンロードすることでも、いわゆるストリーミング配信されることでも、どのような態様であってもよい。
閲覧者端末７００の動画像データ出力部７０４は、動画像データ送信システム６００から受信した所定の動画像データを再生表示する（ステップＳ１４１２）。例えば、液晶ディスプレイ等に動画像データおよび静止画像データ・文字データ等を表示して、音声スピーカ等から音声・音楽データ等を出力する。これにより、個人自身の生前の感謝の気持ち等を伝えるメッセージが閲覧者端末７００のユーザに閲覧等される。
【００９３】
上記の本実施の形態によれば、大容量記憶部・大容量回線等の高価なハードウェアが求められる構成部分を、これらのハードウェアが将来的な技術の進歩等により廉価に実現可能とすることにより、システム全体の構築コストを低減したので通常の資力の事業者によりサービス提供サーバ等を用いたサービス提供が商業ベースで継続して可能となる。
【００９４】
上記の本実施の形態によれば、登録者端末５００と動画像データ送信システム６００と閲覧者端末７００でシステムを構成して、動画像データが保存された動画像データ送信システム６００のみで限定公開ＵＲＬを含む埋め込みコードを保持することと比較して、限定公開ＵＲＬを含む埋め込みコードは登録者端末５００に送信されて渡されるので、登録者端末５００は、限定公開ＵＲＬを含む埋め込みコードを開示したい任意の者に対して任意のタイミングで開示することが可能となり、限定公開ＵＲＬを含む埋め込みコードの有効利用を図ることができる。
図１１では、説明・理解の便宜のため、登録者端末５００と、閲覧者端末７００は１つずつの構成としているが、複数とする構成であってもよい。
また、登録者端末５００と、閲覧者端末７００は同一の端末とする構成であってもよい。
また、動画像データ送信システム６００からの動画像データの閲覧者端末７００への送信は、その動画像データが格納されたＤＶＤ等の記録媒体によってもよい。
また、閲覧者端末７００は動画像データの閲覧後に、動画像データ送信システム６００が提供する所定のＷｅｂサイト等にアクセスして、動画像データ送信システム６００から提供される自分史コンテンツを閲覧することであってもよい。自分史コンテンツとは、上記の動画像データのメッセージの本人の人生の年表コンテンツであり、思い出の写真データや日記データが付加されていてもよい。
また、登録者端末５００と動画像データ送信システム６００間における課金システムが組み込まれてもよい。
上記のとおり、登録者端末５００は、動画像データ送信システム６００はもちろん、限定公開ＵＲＬを含む埋め込みコードを開示したい任意の者に対して任意のタイミングで開示することが可能となる。したがって、例えば、お葬式会場において二次元バーコード等で限定公開ＵＲＬを含む埋め込みコードを参列者に公開して、参列者が所定の携帯端末等で動画像データを閲覧する等の運用も可能である。
【００９５】
（変形例）
上記の第１の実施の形態のように、動画像データ送信システム６００と動画像データの閲覧者端末７０とのやり取りには、限定公開ＵＲＬを含む埋め込みコードに代えて、動画像データ送信システム６００が提供する所定のＷｅｂサイト等の画面コンテンツへのアクセス情報が用いられてもよい。なお、そのアクセス情報は限定公開ＵＲＬを含む埋め込みコードに紐付けられていることとする。
【００９６】
なお、上述する各実施の形態は、本発明の好適な実施の形態であり、本発明の要旨を逸脱しない範囲内において種々変更実施が可能である。例えば、各装置・システムの機能を実現するためのプログラムを各装置・システム等に読込ませて実行することにより各装置・システム等の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線等を介して伝送波により他のコンピュータシステムに伝送されてもよい。また、一部のシステムが人の動作を介在して実現されてもよい。
【符号の説明】
【００９７】
１０、２０、３０    情報提供システム
１００、５００      登録者端末
２００、６００      動画像データ送信システム
３００、３００´    サービス提供サーバ
４００、７００      閲覧者端末
【図１】
2013242813.tif 000003
【図２】
2013242813.tif 000004
【図３】
2013242813.tif 000005
【図４】
2013242813.tif 000006
【図５】
2013242813.tif 000007
【図６】
2013242813.tif 000008
【図７】
2013242813.tif 000009
【図８】
2013242813.tif 000010
【図９】
2013242813.tif 000011
【図１０】
2013242813.tif 000012
【図１１】
2013242813.tif 000013
【図１２】
2013242813.tif 000014
【図１３】
2013242813.tif 000015
【図１４】
2013242813.tif 000016